(57)【要約】【課題】バストの補整効果を有しながら、幅広いカップサイズのバストに対応可能で、バストの動きにも追随し、部材の種類や加工工程を多く必要としないで、外観性にも優れたカップ部を有する衣類を提供する。【解決手段】左右のカップ部と該カップ部を保持する土台部を有し、カップ部は伸縮性素材からなる表カップ部と、伸縮性の少ない素材からなるカップ裏打部から構成され、表カップ部及びカップ裏打部は、それぞれの前側上端縁部から脇側上端縁部に亘る上側周縁部で互いに接合されるとともに、表カップ部はその下側周縁部全てがカップ部下側周縁部に接合され、カップ裏打部の下側周縁部の内、上カップ相当部の前側端縁部と脇側端縁部のみがカップ部下側周縁部に接合されているカップ部を有する衣類。【選択図】図１
0003122832.tif 000002
【実用新案登録請求の範囲】
【請求項１】
左右のカップ部と該カップ部を保持する土台部を有する衣類であって、前記カップ部は伸縮性素材からなる表カップ部と、伸縮性の少ない素材からなるカップ裏打部から構成され、前記表カップ部及びカップ裏打部は、それぞれの前側上端縁部から脇側上端縁部に亘る上側周縁部で互いに接合されるとともに、該表カップ部はその下側周縁部全てがカップ部下側周縁部に接合され、該カップ裏打部は、その下側周縁部の内、上カップ相当部の前側端縁部と脇側端縁部のみがカップ部下側周縁部に接合されているカップ部を有する衣類。
【請求項２】
左右のカップ部と該カップ部を保持する土台部を有する衣類であって、前記カップ部は伸縮性素材からなる表カップ部と、伸縮性の少ない素材からなるカップ裏打部から構成され、前記表カップ部及びカップ裏打部は、それぞれの前側上端縁部から脇側上端縁部に亘る上側周縁部において互いに接合され、前記表カップ部およびカップ裏打部の上カップ相当部のそれぞれ左右の前側端縁部同士、および表カップ部とカップ裏打部の上カップ相当部の前側端縁部が互いに前中心部において接合され、さらに前記表カップ部およびカップ裏打部の上カップ相当部の脇側端縁部がそれぞれバック部に接合されるとともに、前記表カップ部はその下側周縁部全てがカップ部下側周縁部に接合され、前記カップ裏打部は、その下カップ相当部の下側周縁部がカップ部下側周縁部に接合されていないカップ部を有する衣類。
【請求項３】
前記カップ裏打部における下カップ相当部の下側周縁部が、カップ部下側周縁部との間に間隙を有する請求項１記載のカップ部を有する衣類。
【請求項４】
前記間隙が略三日月形状である請求項３記載のカップ部を有する衣類。
【請求項５】
前記カップ裏打部における下カップ相当部の下側周縁部が、カップ部下側周縁部との間に間隙を有する請求項２記載のカップ部を有する衣類。
【請求項６】
前記カップ裏打部における上カップ相当部と下カップ相当部の接合部が、前記表カップ部に接合されている請求項１、３，４に記載のカップ部を有する衣類。
【請求項７】
前記カップ裏打部における上カップ相当部と下カップ相当部の接合部が、前記表カップ部に接合されている請求項２、５に記載のカップ部を有する衣類。
【請求項８】
前記土台部が、カップ部下側周縁部の左右両脇部側から前中心部に亘って備えられている請求項１、３、４、６のいずれか一項に記載のカップ部を有する衣類。
【請求項９】
前記土台部が、左右両バック部から前中心部に亘って備えられている請求項２、５、７のいずれか一項に記載のカップ部を有する衣類。
【請求項１０】
前記カップ部下側周縁部または土台部のカップ部下側周縁部に接する部分にワイヤーを挿入あるいは重合してなる請求項１、３、４、６、８のいずれか一項に記載のカップ部を有する衣類。
【請求項１１】
前記カップ部を有する衣類を構成する各部材の接合あるいは重合個所が、縫着または接着から選ばれる手段により接合あるいは重合される請求項１乃至１０のいずれか一項に記載のカップ部を有する衣類。
【請求項１２】
前記カップ部を有する衣類は、ブラジャー、ブラスリップ、ブラキャミソール、ボディスーツ、カップ付きテディ、水着から選ばれる衣類である請求項１乃至１１のいずれか一項に記載のカップ部を有する衣類。
【考案の詳細な説明】
【技術分野】
【０００１】
本考案は、バストの補整効果を有しながら、幅広いカップサイズのバストに対応可能で、バストの動きにも追随し、かつ外観性に優れるカップ部を有する衣類である。
【背景技術】
【０００２】
ブラジャーなどのカップ部を有する衣類は、表カップ部の内側に伸縮性の少ない素材からなるカップ裏打部を有しカップ形状を保つ構成が一般的である。ところが、従来のカップ部を有する衣類は、伸縮性の少ないカップ裏打部のためカップの容量に融通性がなく、Ａカップ、Ｂカップ、Ｃカップなど細かいサイズ設定をしなければならず、また、産前産後時などバストサイズが変化しやすい場合や、左右のカップサイズに差がある場合はカップがバストにフィットしにくいと言う問題があり、また運動時などバストの動きに追随しにくいという問題もあった。
【０００３】
カップの容量に融通性を持たせるため、例えば、カップ部の周縁部に伸縮性を有する弧状帯部を設けたもの（下記特許文献１参照）、カップ部の周囲に伸縮性を有する部分を設けたもの（下記特許文献２参照）が提案されているが、いずれも伸縮性部分が外側から見えて外観性が低下する上、カップ部の周縁部全体に伸縮性が生じるため乳房の保持性は低下する。
【０００４】
運動時などのバストの動きへの追随性を高めるため、カップ部の周囲に伸縮性を有する素材を用いたもの（下記特許文献３、４参照）もあるが、カップの容量に融通性を持たせる点については充分とはいえず、また、体の動きやバストボリュームの増加に伴い、カップ部周囲の伸縮性素材が外側から見えて外観性が低下するものであった。
【０００５】
更に、カップ部（カップ体）の下部周縁部を取り巻くように伸縮性部分（調節部材）を設け、さらに該伸縮性部分（調節部材）を覆うように押圧部材（帯体）を設けることで（下記特許文献５参照）、体型の個人差に適合させようというものは、部材の種類や加工工程を多く必要とするという問題があった。
【特許文献１】特公昭３５−１１４４０公報
【特許文献２】特公昭３８−１７７３０公報
【特許文献３】実公昭４８−３３５３３公報
【特許文献４】実公昭５６−１２２４１公報
【特許文献５】特許第２５９８７５８号公報
【考案の開示】
【考案が解決しようとする課題】
【０００６】
本考案は、バストの補整効果を有しながら、幅広いカップサイズのバストに対応可能で、バストの動きにも追随するとともに、部材の種類や加工工程を多く必要とせず、かつ外観性にも優れたカップ部を有する衣類を提供することを目的とする。
【課題を解決するための手段】
【０００７】
上記の課題を解決するために、本考案は、次の様なカップ部を有する衣類を提供するものである。
【０００８】
（１）左右のカップ部と該カップ部を保持する土台部を有する衣類であって、前記カップ部は伸縮性素材からなる表カップ部と、伸縮性の少ない素材からなるカップ裏打部から構成され、前記表カップ部及びカップ裏打部は、それぞれの前側上端縁部から脇側上端縁部に亘る上側周縁部で互いに接合されるとともに、該表カップ部はその下側周縁部全てがカップ部下側周縁部に接合され、該カップ裏打部は、その下側周縁部の内、上カップ相当部の前側端縁部と脇側端縁部のみがカップ部下側周縁部に接合されているカップ部を有する衣類。
【０００９】
（２）左右のカップ部と該カップ部を保持する土台部を有する衣類であって、前記カップ部は伸縮性素材からなる表カップ部と、伸縮性の少ない素材からなるカップ裏打部から構成され、前記表カップ部及びカップ裏打部は、それぞれの前側上端縁部から脇側上端縁部に亘る上側周縁部において互いに接合され、前記表カップ部およびカップ裏打部の上カップ相当部のそれぞれ左右の前側端縁部同士、および表カップ部とカップ裏打部の上カップ相当部の前側端縁部が互いに前中心部において接合され、さらに前記表カップ部およびカップ裏打部の上カップ相当部の脇側端縁部がそれぞれバック部に接合されるとともに、前記表カップ部はその下側周縁部全てがカップ部下側周縁部に接合され、前記カップ裏打部は、その下カップ相当部の下側周縁部がカップ部下側周縁部に接合されていないカップ部を有する衣類。
【００１０】
（３）前記カップ裏打部における下カップ相当部の下側周縁部が、カップ部下側周縁部との間に間隙を有する前記（１）記載のカップ部を有する衣類。
【００１１】
（４）前記間隙が略三日月形状である前記（３）記載のカップ部を有する衣類。
【００１２】
（５）前記カップ裏打部における下カップ相当部の下側周縁部が、カップ部下側周縁部との間に間隙を有する前記（２）記載のカップ部を有する衣類。
【００１３】
（６）前記カップ裏打部における下カップ相当部の下側周縁部が、前記表カップ部に接合されている前記（１）、（３）、（４）に記載のカップ部を有する衣類。
【００１４】
（７）前記カップ裏打部における下カップ相当部の下側周縁部が、前記表カップ部に接合されている前記（２）、（５）に記載のカップ部を有する衣類。
【００１５】
（８）前記土台部が、カップ部下側周縁部の左右両脇部側から前中心部に亘って備えられている前記（１）、（３）、（４）、（６）のいずれか一項に記載のカップ部を有する衣類。
【００１６】
（９）前記土台部が、左右両バック部から前中心部に亘って備えられている前記（２）、（５）、（７）のいずれか一項に記載のカップ部を有する衣類。
【００１７】
（１０）前記カップ部下側周縁部または土台部のカップ部下側周縁部に接する部分にワイヤーを挿入あるいは重合してなる前記（１）、（３）、（４）、（６）、（８）のいずれか一項に記載のカップ部を有する衣類。
【００１８】
（１１）前記カップ部を有する衣類を構成する各部材の接合あるいは重合個所が、縫着または接着から選ばれる手段により接合あるいは重合される前記（１）乃至（１０）のいずれか一項に記載のカップ部を有する衣類。
【００１９】
（１２）前記カップ部を有する衣類は、ブラジャー、ブラスリップ、ブラキャミソール、ボディスーツ、カップ付きテディ、水着から選ばれる衣類である前記（１）乃至（１１）のいずれか一項に記載のカップ部を有する衣類。
【考案の効果】
【００２０】
本考案のカップ部を有する衣類は、上記構成を有するため、バストの補整効果を有しながら、幅広いカップサイズのバストに対応可能で、バストの動きにも追随し、部材の種類や加工工程を多く必要とせず、かつ外観性に優れる。
【考案を実施するための最良の形態】
【００２１】
以下、図面を用いて、本考案を詳細に説明するが、本考案は下記の実施形態に限定されるものではない。
【００２２】
［実施形態１］
図１は、本考案のカップ部を有する衣類の一実施形態であるブラジャーを着用時の内側から見た背面図、図２は、図１のブラジャーを着用した状態を示す外観斜視図である。
【００２３】
図１におけるブラジャーは、左右一対のカップ部１、１、前記カップ部１、１を保持する土台部２（後述のカップ部下側周縁部８の左右両脇部側から前中心部に亘って備えられている。）、バスト部における左右一対のバック部３、３、およびカップ部１、１から肩部をまたがって左右のバック部３、３へ延びるストラップ４、４を有するブラジャーである。なお、ストラップ４、４にはそれぞれバック部への取り付けおよび着用時の角度調節のための係止部材が取り付けられている。また、バック部３、３の両端部には互いに係止可能な係止部材を備える係止部３ａ、３ｂが設けられている。
【００２４】
カップ部１は伸縮性素材からなる表カップ部（図２において符号１０で示される。）と、伸縮性の少ない素材からなるカップ裏打部から構成される。カップ裏打部は、上カップ相当部５と下カップ相当部６からなり、上カップ相当部５の下縁部と下カップ相当部６の上縁部とを接合して表カップ部とほぼ同様の形状を有するカップ裏打部を形成している。上カップ相当部５と下カップ相当部６の接合部は図１中符号７で示される。表カップ部及びカップ裏打部は、それぞれの前側上端縁部から脇側上端縁部に亘ってストラップ前側取り付け部を通ってそれぞれの上側周縁部５ａで互いに接合される。表カップ部はその下側周縁部全てがカップ部下側周縁部８に接合され、カップ裏打部は、その下側周縁部の内、上カップ相当部５の脇側端縁部８ａと前側端縁部８ｂのみがカップ部下側周縁部８に接合されており、下カップ相当部６の下側周縁部８ｃはカップ部下側周縁部８に接合されず、遊離した状態となって、間隙９を形成する。なお、本考案において「カップ部下側周縁部」は、カップ部が土台部に接する縁部を指し、後述のように土台部が一部ない形態の場合は、カップ部の下縁部の端始末を行う部分を指す。
【００２５】
乳房は伸縮性の少ない素材からなるカップ裏打部により、しっかりと保持され、バストが補整される一方、下カップ相当部６の下側周縁部８ｃはカップ部下側周縁部８に接合されず、遊離した状態となっていることで、表カップ部とカップ裏打部との間に生じる間隙９の幅が増減することにより、バストボリュームの増減に合わせてカップサイズを調節し、幅広いカップサイズのバストや産前産後のバストサイズの変化に対応可能で、バストの動きにも追随させることができる。その調節状態は図２中矢印で示される。一方伸縮性を有する表カップ部はカップ裏打部の動きに合わせて伸縮し、カップ裏打部を覆うため、カップ裏打部がどんな状態であっても外側から見えず、外観性に優れる。また、カップ裏打部によってバストの補整を行うため、表カップ部は、シンプルなデザインとすることができる。
【００２６】
［実施形態２］
上記実施形態１においては、カップ部が３／４カップタイプのものであるが、本考案においては１／２カップタイプのものであっても良い。図３に本考案のカップ部を有する衣類の別の実施形態であるブラジャーを着用時の内側から見た背面図を示す。図３のブラジャーは、１／２カップタイプの左右一対のカップ部１１、１１、前記カップ部１１、１１を保持する土台部１２（後述のカップ部下側周縁部１８の左右両脇部側から前中心部に亘って備えられている。）、バスト部における左右一対のバック部１３、１３、およびカップ部１１、１１から肩部をまたがって左右のバック部１３、１３へ延びるストラップ１４、１４を有するブラジャーである。なお、ストラップ１４、１４にはそれぞれカップ部及びバック部への取り付けおよび着用時の角度調節のための係止部材が取り付けられている。また、バック部１３、１３の両端部には互いに係止可能な係止部材を備える係止部１３ａ、１３ｂが設けられている。
【００２７】
カップ部１１は伸縮性素材からなる表カップ部と、伸縮性の少ない素材からなるカップ裏打部から構成される。カップ裏打部は、上カップ相当部１５と下カップ相当部１６からなり、上カップ相当部１５の下縁部と下カップ相当部１６の上縁部とを接合して表カップ部とほぼ同様の形状を有するカップ裏打部を形成している。上カップ相当部１５と下カップ相当部１６の接合部は図３中符号１７で示される。表カップ部及びカップ裏打部は、それぞれの前側上端縁部から脇側上端縁部に亘ってストラップ前側取り付け部を通ってそれぞれの上側周縁部１５ａで互いに接合される。表カップ部はその下側周縁部全てがカップ部下側周縁部１８に接合され、カップ裏打部は、その下側周縁部の内、上カップ相当部１５の脇側端縁部１８ａと前側端縁部１８ｂのみがカップ部下側周縁部１８に接合されており、下カップ相当部１６の下側周縁部１８ｃはカップ部下側周縁部１８に接合されず、遊離した状態となって、間隙１９を形成する。
【００２８】
［実施形態３］
本考案においては上記実施形態１、２のようにバック部が、カップ部下側周縁部の左右両脇部側から前中心部に亘って備えられていても、あるいは土台部が一部ない形態であってもよい。また、本考案のカップ部を有する衣類は、ストラップを有しない構成であっても良い。本考案のカップ部を有する衣類は、主にカップ裏打部によってバストの補整を行い、バストの動きに対しては表カップ部の伸縮により追随するため、土台部が一部ない形態やストラップがない形態であっても着用時の安定性に優れる。図４に本考案のカップ部を有する衣類の別の実施形態であるブラジャーを着用時の内側から見た背面図を示す。図４のブラジャーは、左右一対のカップ部２１、２１、前記カップ部２１、２１を保持する土台部２２（左右両方の脇部側及び前中心部のみに備えられている）、バスト部における左右一対のバック部２３、２３を有するブラジャーである。バック部２３、２３の両端部には互いに係止可能な係止部材を備える係止部２３ａ、２３ｂが設けられている。
【００２９】
カップ部２１は伸縮性素材からなる表カップ部と、伸縮性の少ない素材からなるカップ裏打部から構成される。カップ裏打部は、上カップ相当部２５と下カップ相当部２６からなり、上カップ相当部２５の下縁部と下カップ相当部２６の上縁部とを接合して表カップ部とほぼ同様の形状を有するカップ裏打部を形成している。上カップ相当部２５と下カップ相当部２６の接合部は図４中符号２７で示される。表カップ部及びカップ裏打部は、それぞれの前側上端縁部から脇側上端縁部に亘ってそれぞれの上側周縁部２５ａで互いに接合される。表カップ部はその下側周縁部全てがカップ部下側周縁部２８に接合され、カップ裏打部は、その下側周縁部の内、上カップ相当部２５の脇側端縁部２８ａと前側端縁部２８ｂのみがカップ部下側周縁部２８に接合されており、下カップ相当部２６の下側周縁部２８ｃはカップ部下側周縁部２８に接合されず、遊離した状態となって、間隙２９を形成する。
【００３０】
本考案において、上記実施形態１〜３のように、カップ裏打部における下カップ相当部の下側周縁部が、カップ部下側周縁部との間に間隙を有している。前記間隙の大きさは本発明の作用およびカップ裏打部の作用を阻害しない範囲で有れば特に限定されないが、間隙が略三日月形状となるのが好ましい。また、間隙がほとんどなく、カップ部下側周縁部とカップ裏打部における下カップ相当部の下側周縁部がほぼ接する状態となっても良い。
【００３１】
本考案のカップ部を有する衣類は、上記実施形態１〜３のようなカップ部下側周縁部がバージスラインに沿った形状である場合には、カップ部下側周縁部または土台部のカップ部下側周縁部に接する部分にワイヤーを挿入あるいは重合しても良い。ワイヤーを挿入あるいは重合することによりバストの保持性が向上する。なお、本考案においてワイヤーの挿入とは、衣類本体に袋状部分を形成して挿入する、あるいは製造時にカップ部や土台部の構成素材に予めワイヤーを挟み込んで縫製あるいは接着等により衣類を形成することである。  
【００３２】
［実施形態４］
図５に、本考案のカップ部を有する衣類の別の実施形態であるブラジャー着用した状態を示す外観斜視図を示す。図５のブラジャーは、左右のカップ部が前中心部でつながり、バック部にそれぞれ連結した形態のものである。図５のブラジャーは、左右一対のカップ部３１、３１、前記カップ部３１、３１を保持する土台部３２（左右両バック部から前中心部に亘って備えられている。）、一部図示されていないが、バスト部における左右一対のバック部３３、３３、およびカップ部３１、３１から肩部をまたがって左右のバック部３３、３３へ延びるストラップ３４、３４を有するブラジャーである。図示しないが、バック部３３、３３の両端部には互いに係止可能な係止部材を備える係止部が設けられている。
【００３３】
カップ部３１は伸縮性素材からなる表カップ部３０と、伸縮性の少ない素材からなるカップ裏打部から構成される。カップ裏打部は、上カップ相当部３５と下カップ相当部３６からなり、上カップ相当部３５の下縁部と下カップ相当部３６の上縁部とを接合して表カップ部とほぼ同様の形状を有するカップ裏打部を形成している。表カップ部３０及びカップ裏打部は、それぞれの前側上端縁部から脇側上端縁部に亘ってストラップ前側取り付け部を通ってそれぞれの上側周縁部４０で互いに接合される。表カップ部３０の前側端縁部３０ｂおよびカップ裏打部の上カップ相当部３５の前側端縁部３５ｂが互いに前中心部において接合され、さらに表カップ部３０の脇側端縁部３０ａおよびカップ裏打部の上カップ相当部３５の脇側端縁部３５ａがそれぞれバック部３３に接合されるとともに、表カップ部３０はその下側周縁部全てがカップ部下側周縁部３８に接合され、カップ裏打部は、その下カップ相当部３６の下側周縁部３６ｃがカップ部下側周縁部３８に接合されず、遊離した状態となって、間隙３９を形成する。上記構成とすることによる作用は、上記実施形態１〜３のブラジャーと同様である。
【００３４】
本考案において、上記実施形態４の様な形態であっても、上記実施形態１〜３のように、カップ裏打部における下カップ相当部の下側周縁部が、カップ部下側周縁部との間に間隙を有している。前記間隙の大きさは本発明の作用およびカップ裏打部の作用を阻害しない範囲で有れば特に限定されず、間隙がほとんどなく、カップ部下側周縁部とカップ裏打部における下カップ相当部の下側周縁部がほぼ接する状態となっても良い。
【００３５】
本考案において、上記実施形態４の様な形態の場合、土台部が、左右両バック部から前中心部に亘って備えられているのが好ましい。
【００３６】
本考案においては、カップ裏打部における上カップ相当部と下カップ相当部の接合部が、表カップ部に接合されているのが、カップ裏打部のずり上がり等がなく、バストの補整効果が向上して好ましい。
【００３７】
本考案においては、カップ部を有する衣類を構成する各部材の接合あるいは重合個所が、縫着または接着から選ばれる手段により接合あるいは重合されるのが好ましい。
【００３８】
本考案において、表カップ部は伸縮性素材であれば本発明の作用を阻害しない範囲で特に限定されないが、具体的には一般にカップ部を有する衣類に使用されるツーウェイトリコットやストレッチレース等の素材が使用できる。
【００３９】
本考案において、カップ裏打部は、伸縮性の少ない素材であれば本発明の作用を阻害しない範囲で特に限定されないが、具体的には一般にカップ部を有する衣類に使用される不織布やポリウレタン発泡シート等の素材が使用できる。
【００４０】
本考案において、上記カップ部の構成以外のカップ部を有する衣類の構成は、特に限定されず、その形状、サイズ、素材、製造方法等は本考案の作用を阻害しない範囲で、通常一般のカップ部を有する衣類と同様に構成され、例えば補整効果の向上のためボーン等の他の構成を有していても良い。
【００４１】
本考案のカップ部を有する衣類の実施形態として、具体的には、上記実施形態のようなブラジャーの他に、ブラスリップ、ブラキャミソール、ボディスーツ、カップ付きテディ、水着等が挙げられる。本考案のカップ部を有する衣類は、本考案の作用を阻害しない範囲で、カップ部およびバック部の下側に、ウェスト近傍あるいは更にその下側まで延在する胴部を有していても良い。
【産業上の利用可能性】
【００４２】
本考案によるカップ部を有する衣類は、幅広いカップサイズのバストに対応可能で、Ａカップ、Ｂカップ、Ｃカップといった幾つものカップサイズを供給する必要がないことから、部材の種類や加工工程を多く必要とせず、製造コストの低減や、販売が容易になるなどの利点が生じる。バストの動きにも追随し、かつ外観も従来のカップ部を有する衣類と変わらず、外観性に優れる。従って、産前産後のマタニティ用などバストサイズが変化しやすい女性や、左右のカップサイズに差のある女性向けとして有用である。
【図面の簡単な説明】
【００４３】
【図１】本考案のカップ部を有する衣類の一実施形態であるブラジャーを着用時の内側から見た背面図。
【図２】図１のブラジャーを着用した状態を示す外観斜視図。
【図３】本考案のカップ部を有する衣類の別の実施形態であるブラジャーを着用時の内側から見た背面図。
【図４】本考案のカップ部を有する衣類の別の実施形態であるブラジャーを着用時の内側から見た背面図。
【図５】本考案のカップ部を有する衣類の別の実施形態であるブラジャー着用した状態を示す外観斜視図。
【符号の説明】
【００４４】
１  カップ部
２  土台部
３  バック部
３ａ、３ｂ  係止部
４  ストラップ
５  上カップ相当部（カップ裏打部）
６  下カップ相当部（カップ裏打部）
７  上カップ相当部と下カップ相当部の接合部
８  カップ部下側周縁部
８ａ  上カップ相当部の脇側端縁部
８ｂ  上カップ相当部の前側端縁部
８ｃ  下カップ相当部の下側周縁部
９  間隙
１０  表カップ部
【図１】
0003122832.tif 000003
【図２】
0003122832.tif 000004
【図３】
0003122832.tif 000005
【図４】
0003122832.tif 000006
【図５】
0003122832.tif 000007
【手続補正書】
【提出日】平成18年4月13日(2006.4.13)
【手続補正１】
【補正対象書類名】実用新案登録請求の範囲
【補正対象項目名】請求項６
【補正方法】変更
【補正の内容】
【請求項６】
前記カップ裏打部における上カップ相当部と下カップ相当部の接合部が、前記表カップ部に接合されている請求項１、３、４のいずれか一項に記載のカップ部を有する衣類。
【手続補正２】
【補正対象書類名】実用新案登録請求の範囲
【補正対象項目名】請求項７
【補正方法】変更
【補正の内容】
【請求項７】
前記カップ裏打部における上カップ相当部と下カップ相当部の接合部が、前記表カップ部に接合されている請求項２または５に記載のカップ部を有する衣類。